(57)【要約】【課題】特に高い色再現性を要求する特定色を含む画像の、記録媒体間の色差を抑制することができる、画像処理装置、画像処理方法および画像処理プログラムを提供する。【解決手段】第１選択部３６は、測定された分光特性に最も近い分光特性に対応する色変換プロファイルを、第１色変換プロファイルとして選択する。第２選択部３８は、記憶部２８に格納されている特定色の色値である第１色値に最も近い第２色値の色画像に対応する色変換プロファイルを、第２色変換プロファイルとして選択する。画像形成対象の画像データに特定色の領域が含まれている場合には、選択部２４は、第２色変換プロファイルを、第２色変換部１８で適用する色変換プロファイルとして選択する。また、画像形成対象の画像データに特定色の領域が含まれていない場合には、選択部２４は、第１色変換プロファイルを、第２色変換部１８で適用する色変換プロファイルとして選択する。【選択図】図１
2013065956.tif 000002
【特許請求の範囲】
【請求項１】
分光特性の異なる複数の第１記録媒体の第１分光特性と、前記第１記録媒体の各々を画像出力対象として用いる場合の画像データの色変換に用いる色変換プロファイルと、を対応づけて予め記憶すると共に、予め設定された特定色の色画像データを前記色変換プロファイルの各々を用いて色変換した複数の色画像を含むパッチ画像データ、及び該特定色の第１色値を記憶する記憶手段と、
前記パッチ画像データを用いて、複数の前記色画像を、画像出力対象の第２記録媒体に形成する画像形成手段と、
前記第２記録媒体に形成された前記複数の色画像の各々の第２色値と、該第２記録媒体における前記色画像の形成領域外の第２分光特性と、を測定する測定手段と、
複数の前記色変換プロファイルの内、前記第２分光特性に最も近い前記第１分光特性に対応する色変換プロファイルを第１色変換プロファイルとして選択する第１選択手段と、
複数の前記第２色値の内、前記第１色値との色差の最も小さい第２色値を選択し、複数の前記色変換プロファイルの内、選択した第２色値の色画像の色変換に用いた色変換プロファイルを第２色変換プロファイルとして選択する第２選択手段と、
前記第２記録媒体に形成する対象の画像データに、前記特定色の領域が含まれるか否かを判定する判定手段と、
前記特定色の領域が含まれない場合に、前記第１色変換プロファイルを用いて該画像データの色変換を行い、前記特定色の領域が含まれる場合に、前記第２色変換プロファイルを用いて該画像データの色変換を行う色変換手段と、
を備えた画像処理装置。
【請求項２】
前記第１分光特性及び前記第２分光特性は、分光反射率である、請求項１に記載の画像処理装置。
【請求項３】
前記第１選択手段は、複数の前記色変換プロファイルの内、前記第２分光特性との波長毎の差分のばらつきの最も小さい前記第１分光特性に対応する色変換プロファイルを、前記第１色変換プロファイルとして選択する、請求項２に記載の画像処理装置。
【請求項４】
分光特性の異なる複数の第１記録媒体の第１分光特性と、前記第１記録媒体の各々を画像出力対象として用いる場合の画像データの色変換に用いる色変換プロファイルと、を対応づけて予め記憶すると共に、予め設定された特定色の色画像データを前記色変換プロファイルの各々を用いて色変換した複数の色画像を含むパッチ画像データ、及び該特定色の第１色値を記憶する記憶手段を備えた画像処理装置で実行される画像処理方法であって、
前記パッチ画像データを用いて、複数の前記色画像を、画像出力対象の第２記録媒体に形成するステップと、
前記第２記録媒体上に形成された前記複数の色画像の各々の第２色値と、該第２記録媒体における前記色画像の形成領域外の第２分光特性と、を測定するステップと、
複数の前記色変換プロファイルの内、前記第２分光特性に最も近い前記第１分光特性に対応する色変換プロファイルを第１色変換プロファイルとして選択するステップと、
複数の前記第２色値の内、前記第１色値との色差の最も小さい第２色値を選択し、複数の前記色変換プロファイルの内、選択した第２色値の色画像の色変換に用いた色変換プロファイルを第２色変換プロファイルとして選択するステップと、
前記第２記録媒体に形成する対象の画像データに、前記特定色の領域が含まれるか否かを判定するステップと、
前記特定色の領域が含まれない場合に、前記第１色変換プロファイルを用いて該画像データの色変換を行い、前記特定色の領域が含まれる場合に、前記第２色変換プロファイルを用いて該画像データの色変換を行うステップと、
を備えた画像処理方法。
【請求項５】
コンピュータに実行させるためのプログラムであって、
前記コンピュータは、分光特性の異なる複数の第１記録媒体の第１分光特性と、前記第１記録媒体の各々を画像出力対象として用いる場合の画像データの色変換に用いる色変換プロファイルと、を対応づけて予め記憶すると共に、予め設定された特定色の色画像データを前記色変換プロファイルの各々を用いて色変換した複数の色画像を含むパッチ画像データ、及び該特定色の第１色値を記憶する記憶手段を備え、
前記パッチ画像データを用いて、複数の前記色画像を、画像出力対象の第２記録媒体に形成するステップと、
前記第２記録媒体上に形成された前記複数の色画像の各々の第２色値と、該第２記録媒体における前記色画像の形成領域外の第２分光特性と、を測定するステップと、
複数の前記色変換プロファイルの内、前記第２分光特性に最も近い前記第１分光特性に対応する色変換プロファイルを第１色変換プロファイルとして選択するステップと、
複数の前記第２色値の内、前記第１色値との色差の最も小さい第２色値を選択し、複数の前記色変換プロファイルの内、選択した第２色値の色画像の色変換に用いた色変換プロファイルを第２色変換プロファイルとして選択するステップと、
前記第２記録媒体に形成する対象の画像データに、前記特定色の領域が含まれるか否かを判定するステップと、
前記特定色の領域が含まれない場合に、前記第１色変換プロファイルを用いて該画像データの色変換を行い、前記特定色の領域が含まれる場合に、前記第２色変換プロファイルを用いて該画像データの色変換を行うステップと、
を前記コンピュータに実行させるための画像処理プログラム。
【発明の詳細な説明】
【技術分野】
【０００１】
本発明は、画像処理装置、画像処理方法および画像処理プログラムに関する。
【背景技術】
【０００２】
カラープリンタやカラー複写機などにおいては、画像形成対象の印刷データに対して再現色の統一を図るためのカラーマネジメントと呼ばれる画像処理が実施される。このようなカラーマネジメントでは、画像の出力媒体としてどのような記録媒体を使用する場合であっても、理想的には常に同じ色が再現されることが求められる。そこで、記録媒体の特性に因らず、目的とする色の画像を記録媒体上に再現する試みがなされている。
【０００３】
例えば、特許文献１には、記録媒体として一般的に使用される複数の記録媒体を標準用紙とし、各標準用紙で同じ色を再現するための色変換に用いる色変換プロファイルを用意することが行われている。そして、画像形成時には、画像形成対象の記録媒体の分光特性に最も近い分光特性の標準用紙に対応する色変換プロファイルを用いて、印刷データの色変換を行うことが開示されている。
【発明の概要】
【発明が解決しようとする課題】
【０００４】
しかしながら、従来技術では、記録媒体の分光特性に応じた色変換プロファイルを用いるものの、特に高い色再現性を要求する特定色を含む画像の形成時には、分光特性の異なる記録媒体間で、異なる色値の特定色の画像が形成される場合があった。
【０００５】
本発明は、上記に鑑みてなされたものであって、特に高い色再現性を要求する特定色を含む画像の、記録媒体間の色差を抑制することができる、画像処理装置、画像処理方法および画像処理プログラムを提供することを目的とする。
【課題を解決するための手段】
【０００６】
上述した課題を解決し、目的を達成するために、本発明にかかる画像処理装置は、分光特性の異なる複数の第１記録媒体の第１分光特性と、前記第１記録媒体の各々を画像出力対象として用いる場合の画像データの色変換に用いる色変換プロファイルと、を対応づけて予め記憶すると共に、予め設定された特定色の色画像データを前記色変換プロファイルの各々を用いて色変換した複数の色画像を含むパッチ画像データ、及び該特定色の第１色値を記憶する記憶手段と、前記パッチ画像データを用いて、複数の前記色画像を、画像出力対象の第２記録媒体に形成する画像形成手段と、前記第２記録媒体上に形成された前記複数の色画像の各々の第２色値と、該第２記録媒体における前記色画像の形成領域外の第２分光特性と、を測定する測定手段と、複数の前記色変換プロファイルの内、前記第２分光特性に最も近い前記第１分光特性に対応する色変換プロファイルを第１色変換プロファイルとして選択する第１選択手段と、複数の前記第２色値の内、前記第１色値との色差の最も小さい第２色値を選択し、複数の前記色変換プロファイルの内、選択した第２色値の色画像の色変換に用いた色変換プロファイルを第２色変換プロファイルとして選択する第２選択手段と、前記第２記録媒体に形成する対象の画像データに、前記特定色の領域が含まれるか否かを判定する判定手段と、前記特定色の領域が含まれない場合に、前記第１色変換プロファイルを用いて該画像データの色変換を行い、前記特定色の領域が含まれる場合に、前記第２色変換プロファイルを用いて該画像データの色変換を行う色変換手段と、を備えた画像処理装置である。
【０００７】
また、本発明に係る画像処理方法は、分光特性の異なる複数の第１記録媒体の第１分光特性と、前記第１記録媒体を画像出力対象として用いる場合の画像データの色変換に用いる色変換プロファイルと、を対応づけて予め記憶すると共に、予め設定された特定色の色画像データを前記色変換プロファイルの各々を用いて色変換した複数の色画像を含むパッチ画像データ、及び該特定色の第１色値を記憶する記憶手段を備えた画像処理装置で実行される画像処理方法であって、前記パッチ画像データを用いて、複数の前記色画像を、画像出力対象の第２記録媒体に形成するステップと、前記第２記録媒体上に形成された前記複数の色画像の各々の第２色値と、該第２記録媒体における前記色画像の形成領域外の第２分光特性と、を測定するステップと、複数の前記色変換プロファイルの内、前記第２分光特性に最も近い前記第１分光特性に対応する色変換プロファイルを第１色変換プロファイルとして選択するステップと、複数の前記第２色値の内、前記第１色値との色差の最も小さい第２色値を選択し、複数の前記色変換プロファイルの内、選択した第２色値の色画像の色変換に用いた色変換プロファイルを第２色変換プロファイルとして選択するステップと、前記第２記録媒体に形成する対象の画像データに、前記特定色の領域が含まれるか否かを判定するステップと、前記特定色の領域が含まれない場合に、前記第１色変換プロファイルを用いて該画像データの色変換を行い、前記特定色の領域が含まれる場合に、前記第２色変換プロファイルを用いて該画像データの色変換を行うステップと、を備えた画像処理方法である。
【０００８】
また、本発明の画像処理プログラムは、コンピュータに実行させるためのプログラムであって、前記コンピュータは、分光特性の異なる複数の第１記録媒体の第１分光特性と、前記第１記録媒体を画像出力対象として用いる場合の画像データの色変換に用いる色変換プロファイルと、を対応づけて予め記憶すると共に、予め設定された特定色の色画像データを前記色変換プロファイルの各々を用いて色変換した複数の色画像を含むパッチ画像データ、及び該特定色の第１色値を記憶する記憶手段を備え、前記パッチ画像データを用いて、複数の前記色画像を、画像出力対象の第２記録媒体に形成するステップと、前記第２記録媒体上に形成された前記複数の色画像の各々の第２色値と、該第２記録媒体における前記色画像の形成領域外の第２分光特性と、を測定するステップと、複数の前記色変換プロファイルの内、前記第２分光特性に最も近い前記第１分光特性に対応する色変換プロファイルを第１色変換プロファイルとして選択するステップと、複数の前記第２色値の内、前記第１色値との色差の最も小さい第２色値を選択し、複数の前記色変換プロファイルの内、選択した第２色値の色画像の色変換に用いた色変換プロファイルを第２色変換プロファイルとして選択するステップと、前記第２記録媒体に形成する対象の画像データに、前記特定色の領域が含まれるか否かを判定するステップと、前記特定色の領域が含まれない場合に、前記第１色変換プロファイルを用いて該画像データの色変換を行い、前記特定色の領域が含まれる場合に、前記第２色変換プロファイルを用いて該画像データの色変換を行うステップと、を前記コンピュータに実行させるための画像処理プログラムである。
【発明の効果】
【０００９】
本発明によれば、特に高い色再現性を要求する特定色を含む画像の、記録媒体間の色差を抑制することができる、画像処理装置、画像処理方法および画像処理プログラムを提供することができるという効果を奏する。
【図面の簡単な説明】
【００１０】
【図１】図１は、本実施の形態の画像処理装置の機能構成を示す機能ブロック図である。
【図２】図２は、第２記録媒体に形成された複数の色画像の一例を示す模式図である。
【図３】図３は、第２記録媒体の分光反射率、及び第１記録媒体の分光反射率の具体例を示す図であり、（Ａ）〜（Ｄ）は、各々類似する分光反射率毎に分類して示した図である。
【図４】図４は、３種類の第１記録媒体それぞれについて、９種類の第２記録媒体である第２記録媒体Ｕ１〜Ｕ９との間の類似度Ｔを算出した結果をまとめた図である。
【図５】図５は、判定部の構成の一例を示す機能ブロック図である。
【図６】図６は、画像処理装置の画像処理の手順を示すフローチャートである。
【発明を実施するための形態】
【００１１】
以下に添付図面を参照して、この発明にかかる画像処理装置、画像処理方法および画像処理プログラムの一の実施の形態を詳細に説明する。
【００１２】
図１は、本実施の形態にかかる画像処理装置６（画像処理装置）の機能構成を示す機能ブロック図である。
【００１３】
画像処理装置６は、画像処理部１、画像形成装置２（画像形成手段）、及び測定部５（測定手段）を備える。画像処理部１、画像形成装置２、及び測定部５は、信号授受可能に接続されている。画像処理部１は、外部装置等から受け付けた画像データについて、後述する各種画像処理を行った後に、画像形成装置２に転送する。
【００１４】
画像形成装置２は、画像処理部１から画像データ等を受け付け、記録媒体上に画像を形成する。画像形成装置２としては、電子写真方式やインクジェット方式等の公知の画像形成装置が挙げられる。画像形成装置２では、例えば、シアン（Ｃ）、マゼンタ（Ｍ）、イエロー（Ｙ）、ブラック（Ｋ）の４色の色材を用いて、単色または多色の画像を記録媒体上に形成する。
【００１５】
測定部５は、色値及び分光反射率を測定する。具体的には、測定部５は、記録媒体上に形成された各種画像の色値や、記録媒体の分光反射率を測定する。測定部５としては、分光測色機や、カラースキャナが挙げられる。
【００１６】
なお、本実施の形態では、測定部５は、ＣＩＥ１９７６（Ｌ＊ａ＊ｂ＊）表色系の色値（表色値）を測定する場合を説明するが、この表色系に限られない。
【００１７】
画像処理部１は、操作部１２、及び主制御部１０を備える。
【００１８】
操作部１２は、ユーザによる各種操作入力を受け付ける。操作部１２としては、例えば、キーボードや、タッチパネル等が挙げられる。
【００１９】
主制御部１０は、取得部１４、第１色変換部１６、第２色変換部１８（色変換手段）、出力部２０、判定部２２（判定手段）、選択部２４、読取部２６、生成部２９、取得部３４、選択部３２、設定部３０、及び記憶部２８（記憶手段）を備える。選択部３２は、第１選択部３６（第１選択手段）と、第２選択部３８（第２選択手段）と、を備える。
【００２０】
取得部１４は、画像形成装置２で画像形成対象の画像データを取得する。例えば、取得部１４は、外部装置等から有線通信網または無線通信網等を介して送付される画像データを取得する。なお、取得部１４が取得する画像データは、外部装置等から受け付ける画像データに限られない。例えば、画像形成装置２が公知のスキャナ機能を備えた装置である場合、このスキャナ機能により読み取った画像データを、取得部１４で取得するようにしてもよい。
【００２１】
記憶部２８は、特定色の色画像データを格納する。特定色とは、ユーザが高い色再現性を要求する色である。この特定色の色画像データは、後述する色画像としてのパッチ画像の形成に用いる画像データであって、後述する色変換を行う前の、デバイス非依存の表色値であるＰＣＳ（Ｐｒｏｆｉｌｅ  Ｃｏｎｎｅｃｔｉｏｎ  Ｓｐａｃｅ）の表色値で示される画像データである。なお、この色画像データは、例えば、取得部１４を介して受け付け、予め記憶部２８に記憶すればよい。なお、記憶部２８に記憶される特定色の色画像データは、取得部１４を介して外部装置等から受け付ける形態に限られない。例えば、画像形成装置２が公知のスキャナ機能を備えた装置である場合、スキャナ機能により読み取った特定色の色画像データを、取得部１４で取得し、記憶部２８に記憶してもよい。
【００２２】
なお、本実施の形態では、記憶部２８は、この特定色として、人体の顔部分の肌色を示す特定色の色画像データを予め記憶する場合を説明するが、この形態に限られない。
【００２３】
また、記憶部２８は、特定色の色値として、ＰＣＳの表色値で示される色値をＬ＊ａ＊ｂ表色値で示される色値に変換した色値を予め記憶する。
【００２４】
また、記憶部２８は、分光特性の異なる複数種類の記録媒体毎に、記録媒体の分光特性（第１分光特性）、及び色変換プロファイルを対応づけて記憶する。なお、該記録媒体は、予め分光特性を測定済の記録媒体であり、以下では、第１記録媒体と称して説明する。
【００２５】
分光特性とは、各記録媒体の色再現特性を表すデータであり、具体的には、分光反射率を示す。
【００２６】
色変換プロファイルは、分光特性の異なる各第１記録媒体を画像出力対象として用いる場合の画像データの色変換に用いる色変換プロファイルである。詳細には、本実施の形態では、この色変換プロファイルとは、デバイス非依存の表色値であるＰＣＳ（Ｐｒｏｆｉｌｅ  Ｃｏｎｎｅｃｔｉｏｎ  Ｓｐａｃｅ）の表色値の画像データを、画像形成装置２が扱うＣＭＹＫの表色値に変換する色変換時に適用するプロファイルを示す。色変換プロファイルは、例えば、３次元ＬＵＴ（Ｌｏｏｋ  Ｕｐ  Ｔａｂｌｅ）で構成され、色変換プロファイルとしては、公知のＩＣＣプロファイルが挙げられる（ＩＣＣ：インターナショナル・カラー・コンソーシアム）。記憶部２８は、第１記録媒体毎に、色変換に用いる色変換プロファイルを記憶する。すなわち、記憶部２８に記憶されている各第１記録媒体に対応する色変換プロファイルは、各々、各分光特性の第１記録媒体上で目的とする色値の画像が再現（記録）されるように、元の画像データの各画素の色値を補正するためのプロファイルである。
【００２７】
また、記憶部２８は、パッチ画像データを記憶する。パッチ画像データは、特定色の色画像データを、上記第１記録媒体の各々に対応する色変換プロファイルの各々を用いて色変換した複数の色画像（所謂、パッチ画像）を含む画像データである。すなわち、パッチ画像データは、同じ特定色の色画像データを、異なる色変換プロファイルを用いて変換した複数の色画像を含む画像データである。
【００２８】
このパッチ画像データは、例えば、予め生成部２９で生成し、記憶部２８に記憶すればよい。生成部２９については詳細を後述する。
【００２９】
第１色変換部１６は、取得部１４が取得した画像データに対して、ＲＧＢ、ＣＭＹＫ等デバイス依存の表色値から、デバイス非依存の表色値であるＰＣＳの表色値に変換する色変換を行う。この色変換は、公知の方法により行う。
【００３０】
第２色変換部１８は、第１色変換部１６の色変換により得られたＰＣＳの表色値を、画像形成装置２が扱うＣＭＹＫの表色値に変換する色変換を行う。第２色変換部１８は、後述する選択部２４で選択された色変換プロファイルを用いて、ＰＣＳの表色値で示される画像データを、ＣＭＹＫの表色値の画像データへ色変換する。そして、第２色変換部１８は、色変換した画像データを、出力部２０へ出力する。
【００３１】
読取部２６は、記憶部２８に格納されているパッチ画像データを読み取り、出力部２０へ出力する。なお、このパッチ画像データは、生成部２９で生成してもよいし、第２色変換部１８が、記憶部２８に格納されている各色変換プロファイルの各々を用いて特定色の色画像データを色変換することによって生成してもよい。
【００３２】
例えば、生成部２９は、記憶部２８に格納されている特定色の色画像データを、記憶部２８に格納されている各色変換プロファイルの各々を用いて色変換し、各色変換プロファイルに対応する色画像（パッチ画像）の各々を含むパッチ画像データを生成する。この色変換プロファイルを用いた色変換処理は、第２色変換部１８と同様にして行う。なお、本実施の形態では、生成部２９は、各色変換プロファイルに対応する色画像の記録媒体上の形成位置が、色変換プロファイル毎に記録媒体上の予め定められた位置に形成されるように、各色画像の位置（画素位置）を規定したパッチ画像データを生成する。そして、記憶部２８は、各色変換プロファイルに対応する色画像の記録媒体上における位置を示す情報を記憶するものとして説明する。
【００３３】
本実施の形態では、特に正確な色で再現する特定色として、人体の顔部分の肌色を用いる場合を説明する。一般的に、人の顔色（肌色）は少しでも異なる色相で記録されると、記録媒体を視認したユーザに対して違和感を与えやすく、肌色の色再現精度は重要とされている。このため、本実施の形態では、特定色が肌色である場合を説明する。なお、特定色は、肌色に限られず、灰色等であってもよい。
【００３４】
このため、本実施の形態の記憶部２８は、特定色の色画像データとして、ＰＣＳの表色値で示される、代表的な肌色の色値の色画像データを予め記憶している場合を説明する。また、記憶部２８は、特定色の色値として、ＰＣＳの表色値で示される色値（例えば上記代表的な肌色の色値）をＬ＊ａ＊ｂ表色値で示される色値に変換した色値を予め記憶する。
【００３５】
例えば、記憶部２８に、分光特性の異なる複数の第１記録媒体の各々に対応する色変換プロファイルとして、３種類の第１記録媒体（第１記録媒体Ａ〜Ｃと称して説明する場合がある）の各々に対応する３種類の色変換プロファイル（色変換プロファイルＡ〜Ｃと称する場合がある）が格納されていたとする。この場合、生成部２９は、特定色の色画像データとしての肌色の色値の色画像データ（ＰＳＣの表色値で示される）を、第１記録媒体Ａに対応する色変換プロファイルＡを適用して色変換し、ＣＭＹＫ値からなる色画像の色画像データを生成する。また、生成部２９は、肌色の色値の色画像データ（ＰＳＣの表色値）を、第１記録媒体Ｂに対応する色変換プロファイルＢを適用して色変換し、ＣＭＹＫ値からなる色画像の色画像データを生成する。また、生成部２９は、肌色の色値の色画像データ（ＰＳＣの表色値）を、第１記録媒体Ｃに対応する色変換プロファイルＣを適用して色変換し、ＣＭＹＫ値からなる色画像の色画像データを生成する。そして、生成部２９は、これらの色画像を含むパッチ画像データを生成する。
【００３６】
出力部２０は、第２色変換部１８から画像データを受け付ける。また、出力部２０は、読取部２６からパッチ画像データを受け付ける。そして、出力部２０は、第２色変換部１８から画像データを受け付けた場合には、受け付けた画像データを画像形成装置２へ出力する。また、出力部２０は、読取部２６からパッチ画像データを受け付けた場合には、受け付けたパッチ画像データを画像形成装置２へ出力する。
【００３７】
画像形成装置２は、画像形成対象の記録媒体に、各種画像を形成する。なお、本実施の形態では、この画像形成対象の記録媒体（第２記録媒体４０）を、予め分光特性が既知の第１記録媒体と区別して説明する観点から、第２記録媒体４０と称して説明する。
【００３８】
画像形成装置２は、出力部２０から画像データを受け付けた場合には、受け付けた画像データの画像を第２記録媒体４０に形成する。一方、画像形成装置２は、出力部２０からパッチ画像データを受け付けた場合には、受け付けたパッチ画像データの画像（複数の色画像）を第２記録媒体４０に形成する。
【００３９】
図２には、第２記録媒体４０に形成された複数の色画像の一例を示した。
【００４０】
例えば、記憶部２８に、分光特性の異なる複数種類の第１記録媒体の各々に対応する色変換プロファイルとして、３種類の色変換プロファイル（色変換プロファイルＡ〜Ｃ）が格納されていたとする。この場合、図２に示すように、画像形成装置２は、パッチ画像データに基づいて、各色変換プロファイルＡ〜Ｃで色変換された色画像として、色画像４２Ａ、色画像４２Ｂ、及び色画像４２Ｃ、といった複数の色画像４２を形成する。
【００４１】
図１に戻り、説明を続ける。測定部５は、パッチ画像データに基づいて第２記録媒体４０に記録された複数の色画像の各々の色値、及び該第２記録媒体４０における色画像の形成領域外（図２中、領域４２Ｄ参照）の分光特性を測定し、取得部３４へ出力する。
【００４２】
例えば、図２に示すように、測定部５は、第２記録媒体４０上の、各色画像４２（色画像４２Ａ、色画像４２Ｂ、色画像４２Ｃ）の色値を読み取ると共に、これらの色画像４２の形成領域外（例えば、領域４２Ｄ）の分光特性を測定する。
【００４３】
図１に戻り、なお、測定部５には、図示は省略するが、パッチ画像データの画像の形成された第２記録媒体４０を載置するときの位置決め部材が設けられており、この位置決め部材に沿って載置された第２記録媒体４０を読み取る。そして、測定部５では、該位置決め部材に沿って載置された第２記録媒体４０を読み取ったときの各位置を示す情報と、各位置に記録されている色画像に対応する色変換プロファイルを識別するための識別情報と、を予め対応づけて格納している。このため、測定部５では、各色変換プロファイルに対応する色画像毎に、色値を読み取ることができるように構成されている。
【００４４】
なお、測定部５の構成は上記構成に限られない。例えば、パッチ画像データを、各色画像に隣接する画素位置に、各色画像を識別するための識別画像を含む画像データとする。そして、測定部５は、各識別画像を読み取ることによって各色画像に対応する色変換プロファイルの種類を識別し、識別した識別画像に隣接する色画像の各々を読み取ることによって、各色変換プロファイルに対応する色画像の色値を読み取るようにしてもよい。
【００４５】
取得部３４は、測定部５から、第２記録媒体４０に記録された複数の色画像の各々の色値、及び第２記録媒体４０の分光特性を受け付ける。そして、受け付けた各色変換プロファイルの各々に対応する色画像の色値と、第２記録媒体４０の分光特性と、を選択部３２へ出力する。
【００４６】
選択部３２は、各色変換プロファイルに対応する色画像の色値、及び第２記録媒体４０の分光特性を、取得部３４から受け付ける。そして、選択部３２は、取得部３４から受け付けたこれらの情報、及び記憶部２８に格納されている各種情報に基づいて、第２記録媒体４０に形成する画像の画像データの色変換に用いる色変換プロファイルを選択する。
【００４７】
詳細には、選択部３２は、第１選択部３６、及び第２選択部３８を備える。
【００４８】
第１選択部３６は、取得部３４から受け付けた第２記録媒体４０の分光特性に基づいて、記憶部２８に格納された複数の第１記録媒体の分光特性の内、最も近い分光特性を選択する（詳細後述）。そして、選択した分光特性に対応する色変換プロファイルを、第１色変換プロファイルとして選択する。
【００４９】
第２選択部３８は、各色変換プロファイルに対応する色画像の色値（第２色値と称して説明する場合がある）を取得部３４から受け付ける。そして、この各色画像の第２色値の内、記憶部２８に格納されている特定色の色値に最も近い第２色値を選択する。そして、記憶部２８に格納されている複数の色変換プロファイルの内、選択した第２色値の色変換に用いた色変換プロファイルを、第２色変換プロファイルとして選択する。
【００５０】
以下、第１選択部３６について更に詳細に説明する。
【００５１】
第１選択部３６は、まず、取得部３４から受け付けた第２記録媒体４０の分光特性に基づいて、記憶部２８に格納された複数の第１記録媒体の分光特性の内、最も近い分光特性を選択する。詳細には、第１選択部３６は、取得部３４から受け付けた第２記録媒体４０の分光特性と、記憶部２８に格納された複数の各第１記録媒体の分光特性の各々と、の類似度を算出する。分光特性として、分光反射率を用いる場合、第１選択部３６は、第２記録媒体４０の分光反射率と、各第１記録媒体の分光反射率の各々と、を比較し、波長毎の差分に基づいて、第２記録媒体４０と第１記録媒体の各々との分光反射率の類似度を算出する。
【００５２】
そして、第１選択部３６は、第２記録媒体４０と第１記録媒体の各々との分光反射率の類似度が最も大きい第１記録媒体、すなわち、第２記録媒体４０に対して最も分光特性の近い第１記録媒体を特定する。そして、第１選択部３６は、特定した第１記録媒体に対応する色変換プロファイルを、第１色変換プロファイルとして選択する。
【００５３】
次に、第１選択部３６が行う第１色変換プロファイルの選択処理について、具体例を挙げて説明する。
【００５４】
第１記録媒体の分光反射率によって示される波形と、第２記録媒体４０の分光反射率によって示される波形と、が似通っている場合、第１記録媒体と第２記録媒体４０とは分光特性が類似しているといえる。このため、第１選択部３６は、まず、第１記録媒体の各々の分光反射率と第２記録媒体４０の分光反射率との偏差σを求める。そして、第１選択部３６は、その偏差σの逆数を、類似度Ｔとして求める。なお、下記式（１）において、波長λは離散値であり、λ＝３８０，３９０，・・・，７３０とする。また、Ｎは離散値λのデータ数であり、Ｎ＝３６となる。
【００５５】
【数１】
2013065956.tif 000003
【００５６】
【数２】
2013065956.tif 000004
【００５７】
ここで、第１記録媒体と第２記録媒体４０とで、分光反射率の波形が似通っている（類似度が高い）ということは、各波長における差分のばらつきが小さいということであり、偏差σは小さい値になる。逆に、第１記録媒体と第２記録媒体４０との分光反射率の類似度が低いということは、各波長における差分のばらつきが大きいということであり、偏差σは大きい値になる。このように、類似度の大小と分光反射率の偏差σの大小が逆の関係にあるため、偏差σの逆数を類似度（式（２）中、Ｔ参照）とした。
【００５８】
このように、第２記録媒体４０と第１記録媒体の各々との類似度は、分光反射率の各波長における差分に基づく値で定義できる。
【００５９】
図３には、第２記録媒体４０の分光反射率、及び第１記録媒体の分光反射率の具体例を示した。
【００６０】
なお、ここでは、３種類の第１記録媒体Ａ〜Ｃそれぞれについて、対応する色変換パラメータと分光反射率データが記憶部２８に格納されており、測定部５で、分光特性の異なる９種類の第２記録媒体４０である第２記録媒体Ｕ１〜Ｕ９の各々の分光特性を測定した場合を説明する。そして、第１選択部３６が、各第２記録媒体Ｕ１〜Ｕ９の各々について、第１記録媒体Ａ〜Ｃの内の最も類似する第１記録媒体を特定する場合を例に挙げて説明する。
【００６１】
図３は、３種類の第１記録媒体Ａ〜Ｃの各々の分光反射率と、９種類の第２記録媒体４０としての第２記録媒体Ｕ１〜Ｕ９の各々の分光反射率と、を対比して示したものである。図３（Ａ）は、３種類の第１記録媒体Ａ〜Ｃの各々の分光反射率を示す。図３（Ｂ）は、第１記録媒体Ａの分光反射率、及びこの第１記録媒体Ａの分光反射率の波形に近い分光反射率を示す第２記録媒体４０として、第２記録媒体Ｕ１，Ｕ２，Ｕ７，Ｕ８の各々の分光反射率を示した。図３（Ｃ）は、第１記録媒体Ｂの分光反射率、及びこの第１記録媒体Ｂの分光反射率の波形に近い分光反射率を示す第２記録媒体４０として、第２記録媒体Ｕ４，Ｕ５，Ｕ６，Ｕ９の分光反射率を示した。図３（Ｄ）は、第１記録媒体Ｃの分光反射率と、この第１記録媒体Ｃの分光反射率に波形が近い第２記録媒体４０として、第２記録媒体Ｕ３の分光反射率を示した。
【００６２】
これらの９種類の第２記録媒体４０としての、第２記録媒体Ｕ１〜Ｕ９の各々は、３種類の第１記録媒体Ａ〜Ｃの各々との間の分光反射率の波形の類似度から、図３（Ｂ）に示すように、分光反射率の波形が第１記録媒体Ａに近いＡ群の第２記録媒体Ｕ１，Ｕ２，Ｕ７，Ｕ８と、図３（Ｃ）に示すように、分光反射率の波形が第１記録媒体Ｂに近いＢ群の第２記録媒体Ｕ４，Ｕ５，Ｕ６，Ｕ９と、図３（Ｄ）に示すように、分光反射率の波形が第１記録媒体Ｃに近いＣ群の第２記録媒体Ｕ３と、に分類することができる。
【００６３】
第１記録媒体と、第２記録媒体４０との間の類似度は、上述したように、分光反射率の波形の近さを示している。したがって、第２記録媒体４０としての、第２記録媒体Ｕ１〜Ｕ９それぞれについて、第１記録媒体Ａ〜Ｃの中から類似する記録媒体を特定することは、第２記録媒体Ｕ１〜Ｕ９をＡ群、Ｂ群、Ｃ群に分類することと同じである。つまり、Ａ群の第２記録媒体４０である第２記録媒体Ｕ１，Ｕ２，Ｕ７，Ｕ８については、第１記録媒体Ａを類似用紙として特定することができる。また、Ｂ群の第２記録媒体４０である第２記録媒体Ｕ４，Ｕ５，Ｕ６，Ｕ９については、第１記録媒体Ｂを類似用紙として特定することができる。また、Ｃ群の第２記録媒体４０としての第２記録媒体Ｕ３については、第１記録媒体Ｃを類似用紙として特定することができる。
【００６４】
次に、第１選択部３６による、第１記録媒体と第２記録媒体４０との間の類似度評価の具体例について説明する。
【００６５】
図４は、上述した３種類の第１記録媒体Ａ〜Ｃそれぞれについて、９種類の第２記録媒体４０である第２記録媒体Ｕ１〜Ｕ９との間の類似度Ｔを算出した結果をまとめた図である。なお、図４中の「○」印は、各第２記録媒体Ｕ１〜Ｕ９に対して、複数の第１記録媒体Ａ〜Ｃの内、どの第１記録媒体が最も類似する第１記録媒体として特定されたかを示している。すなわち、上述したＡ群、Ｂ群、Ｃ群は、この図４に示す結果をもとに、９種類の第２記録媒体Ｕ１〜Ｕ９を分類したものである。
【００６６】
なお、図４に示される数値は、類似度（上記式（２）中、類似度Ｔ）を示し、この値が大きいほど、類似度が高いことを示す。
【００６７】
上述のようにして、第１選択部３６は、第２記録媒体４０と第１記録媒体の各々との分光反射率の類似度が最も高い第１記録媒体、すなわち、第２記録媒体４０に対して最も分光特性の近い第１記録媒体を特定する。そして、第１選択部３６は、特定した第１記録媒体に対応づけられている色変換プロファイルを、第１色変換プロファイルとして選択する。
【００６８】
次に、第２選択部３８について更に詳細に説明する。
【００６９】
上述のように、第２選択部３８は、各色変換プロファイルに対応する色画像の色値（第２色値と称して説明する）を取得部３４から受け付ける。そして、この各色画像の第２色値の内、記憶部２８に格納されている特定色の色値に最も近い第２色値を選択する。そして、記憶部２８に格納されている複数の色変換プロファイルの内、選択した第２色値の色変換に用いた色変換プロファイルを、第２色変換プロファイルとして選択する。
【００７０】
図２を用いて説明したように、特定色の色画像データを、各色変換プロファイルＡ〜Ｃを適用して色変換した色画像として、第２記録媒体４０上に、色画像４２Ａ、色画像４２Ｂ、及び色画像４２Ｃ、が形成されたとする。そして、取得部３４が、各色画像４２Ａ〜４２Ｃの各々の第２色値（Ｌ＊ａ＊ｂ＊表色値）を取得したとする。この場合、第２選択部３８は、記憶部２８に予め記憶した特定色の色値（ＰＣＳの表色値をＬ＊ａ＊ｂの表色値に変換したもの）と、各色画像４２Ａ〜４２Ｃの各々の第２色値と、の色差を算出する。そして、これらの第２色値の内、特定色値との色差の最も小さい第２色値を選択する。そして、記憶部２８に格納されている複数に色変換プロファイル（色変換プロファイルＡ〜Ｃ）の内、該選択した第２色値の色画像（色画像４２Ａ〜４２Ｃの内の何れか１つ）に適用した色変換プロファイルを、第２色変換プロファイルとして選択する。
【００７１】
図１に戻り、説明を続ける。設定部３０は、選択部３２の第１選択部３６で選択された第１色変換プロファイルと、第２選択部３８で選択された第２色変換プロファイルと、を、第２記録媒体４０を一意に識別する識別情報に対応づけて記憶部２８に格納する。
【００７２】
判定部２２は、取得部１４で取得した、画像形成対象の画像データに、記憶部２８に格納されている特定色の領域が含まれているか否かを判定する。判定部２２は、記憶部２８に格納されている特定色の色値を示す情報（例えば、ＰＣＳ表色値）を、取得した画像データの表色値（例えば、ＲＧＢ表色値）に変換し、変換した色値が画像データに設定されているか否かを判別することによって、特定色の領域が含まれているか否かを判定する。
【００７３】
上述のように、本実施の形態では、特に正確な色で再現する特定色として、人体の顔部分の肌色を用いる場合を説明する。このため、本実施の形態では、判定部２２は、画像形成対象の画像データに、人体の顔部分の肌色の領域が含まれているか否かを判定する。
【００７４】
図５には、判定部２２の構成の一例を示す機能ブロック図を示した。
【００７５】
図５に示すように、例えば、判定部２２は、輝度変換部２２Ａ、顔座標取得部２２Ｂ、及び判定部２２Ｃを含む。
【００７６】
輝度変換部２２Ａは、画像形成対象の画像データ（ＲＧＢ表色値で示されるものとする）の各画素の画素値（ＲＧＢの各々の階調値によって示される）を、下記式（３）を用いて、輝度値Ｙに変換する。
【００７７】
【数３】
2013065956.tif 000005
【００７８】
上記式（３）中、Ｙは、各画素の輝度値を示し、Ｒは、画像データの画素値として示されるＲ（赤色）の階調値（濃度値）を示す。また、式（３）中、Ｇは、画像データの画素値として示されるＧ(緑色)の階調値（濃度値）を示し、Ｂは、画像データの画素値として示されるＢ（青色）の階調値（濃度値）を示す。
【００７９】
顔座標取得部２２Ｂは、画像形成対象の画像データから、公知の顔認識技術を用いて顔領域を検出し、画像内における顔領域の位置座標を取得する。判定部２２Ｃは、画像形成対象の画像データの画像内における顔領域の面積比を算出する。そして、判定部２２Ｃは、予め設定した顔判定のための閾値より該面積比が小さい場合には、顔領域無しと判別し、特定色の領域を含まない画像データと判定する。また、判定部２２Ｃでは、該面積比が予め設定した顔判定のための閾値以上である場合には、顔領域有りと判別し、特定色の領域を含む画像データを判定する。なお、この閾値としては、例えば、画像全体の面積１０に対する顔の面積が１であることを示す、１／１０の値等を予め定めればよいが、この値に限られない。
【００８０】
なお、判定部２２による判定は、上述した方法に限られない。例えば、ユーザの操作指示によって操作部１２から、特定色の領域の有無を示す信号を受け付けるようにしてもよい。そして、判定部２２は、受け付けた信号に基づいて、画像形成対象の画像データに、特定色の領域が含まれているか否かを判定してもよい。
【００８１】
図１に戻り、説明を続ける。上述のようにして、判定部２２は、画像形成対象の画像データに、特定色の領域が含まれるか否かを判定し、判定結果を、選択部２４へ出力する。
【００８２】
選択部２４は、画像形成対象の画像データに、特定色の領域が含まれる場合には、設定部３０で設定された、画像形成対象の第２記録媒体４０に対応する第１色変換プロファイル及び第２色変換プロファイルの内、第２色変換プロファイルを、第２色変換部１８で適用する色変換プロファイルとして選択する。一方、選択部２４は、画像形成対象の画像データに特定色の領域が含まれない場合には、第１色変換プロファイルを、第２色変換部１８で適用する色変換プロファイルとして選択する。
【００８３】
すなわち、選択部２４は、画像形成対象の画像データに特定色の領域が含まれない場合には、第２記録媒体４０の分光特性に最も近い分光特性の第１記録媒体に対応する色変換プロファイルである第１色変換プロファイルを、第２色変換部１８で適用する色変換プロファイルとして選択する。一方、選択部２４は、画像形成対象の画像データに特定色の領域が含まれる場合には、第２記録媒体４０上に形成した複数の色画像の第２色値と、特定色の色値と、の色差に基づいて、色差の最も小さい第２色値に対応する色変換プロファイルである第２色変換プロファイルを、第２色変換部１８で適用する色変換プロファイルとして選択する。
【００８４】
第２色変換部１８では、画像形成対象の画像データの色変換処理時には、選択部２４で選択された色変換プロファイルを適用して色変換処理を行う。
【００８５】
次に、本実施の形態の画像処理装置６における、画像処理の詳細について説明する。図６は、画像処理装置６の画像処理の手順を示すフローチャートである。
【００８６】
画像処理装置６の主制御部１０は、まず、キャリブレーション指示の有無を判断する（ステップＳ１００）。キャリブレーションとは、色合わせ及び色調整を示す。例えば、主制御部１０は、ユーザによる操作指示によって操作部１２から、キャリブレーションの指示を示す信号を受け付けたか否かを判別することによって、キャリブレーション指示の有無を判断すればよい。この場合、例えば、操作部１２に、キャリブレーション指示の有無を設定するための表示画面を表示し、キャリブレーション指示有を示す領域（ボタン画像等）がユーザの操作指示によって指示されたときに、キャリブレーション指示有を示す信号を、操作部１２から主制御部１０へ出力する構成とすればよい。
【００８７】
主制御部１０がキャリブレーション指示無しを判断すると（ステップＳ１００：Ｎｏ）、後述するステップＳ１１２へ進む。一方、主制御部１０が、キャリブレーション指示有を判断すると（ステップＳ１００：Ｙｅｓ）、ステップＳ１０２へ進む。
【００８８】
次に、読取部２６が、記憶部２８からパッチ画像データを読取る（ステップＳ１０２）。そして、出力部２０が、パッチ画像データを画像形成装置２へ出力する（ステップＳ１０４）。ステップＳ１０２及びステップＳ１０４の処理によって、画像形成装置２は、パッチ画像データを受け付け、第２記録媒体４０（図１参照）へ複数の色画像を形成する。
【００８９】
また、第２記録媒体４０に、パッチ画像データに基づいた色画像が形成されると、測定部５が、第２記録媒体４０に形成された各色画像の色値、及び第２記録媒体４０上の色画像形成領域外の分光特性（分光反射率）を測定し、取得部３４へ出力する。
【００９０】
次に、取得部３４は、測定部５から、第２記録媒体４０に形成された各色画像の色値、及び第２記録媒体４０上の色画像形成領域外の分光特性（分光反射率）の測定結果を受け付けるまで否定判断を繰り返す(ステップＳ１０６：Ｎｏ)。そして、取得部３４は、測定部５から、第２記録媒体４０に形成された各色画像の色値、及び第２記録媒体４０上の色画像形成領域外の分光特性（分光反射率）の測定結果を受け付けると、肯定判断する（ステップＳ１０６：Ｙｅｓ）。
【００９１】
次に、第１選択部３６が、取得部３４から受け付けた分光特性から、第１色変換プロファイルを選択する（ステップＳ１０８）。また、第２選択部３８が、取得部３４から受け付けた各色画像の色値から、第２色変換プロファイルを選択する（ステップＳ１１０）。
【００９２】
次に、主制御部１０は、画像形成指示を受け付けたか否かを判断する（ステップＳ１１２）。主制御部１０では、例えば、画像形成対象の画像データを取得部１４で受け付けたか否かを判別することによって、ステップＳ１１２の判断を行ってもよい。また、主制御部１０では、例えば、予め画像形成対象の画像データを記憶部２８に格納しておいて、操作部１２から画像形成指示を示す信号を受け付けたか否かを判別することによって、ステップＳ１１２の判断を行ってもよい。
【００９３】
主制御部１０が、ステップＳ１１２で否定判断すると（ステップＳ１１２：Ｎｏ）、本ルーチンを終了し、ステップＳ１１２で肯定判断すると（ステップＳ１１２：Ｙｅｓ）、ステップＳ１１４へ進む。
【００９４】
次に、判定部２２が、画像形成対象の画像データを読み取り（ステップＳ１１４）、画像データに、特定色の領域が含まれているか否かを判定する画像判定を行う（ステップＳ１１６）。
【００９５】
次に、判定部２２の判定結果に基づいて、選択部２４が、第２色変換部１８の色変換時に適用する色変換プロファイルを選択する（ステップＳ１１８）。詳細には、上述したように、選択部２４は、画像形成対象の画像データに特定色の領域が含まれる場合には、設定部３０で設定された、画像形成対象の第２記録媒体４０に対応する第１色変換プロファイル及び第２色変換プロファイルの内、第２色変換プロファイルを、第２色変換部１８で適用する色変換プロファイルとして選択する。一方、選択部２４は、画像形成対象の画像データに特定色の領域が含まれない場合には、第１色変換プロファイルを、第２色変換部１８で適用する色変換プロファイルとして選択する。
【００９６】
次に、第１色変換部１６が、画像形成対象の画像データを、ＲＧＢ等のデバイス依存の表色値から、デバイス非依存の表色値であるＰＣＳの表色値に変換する第１色変換を行う（ステップＳ１２０）。
【００９７】
次に、第２色変換部１８が、第１色変換部１６で変換されたＰＣＳの表色値の画像データを、選択部２４で上記ステップＳ１１８の処理により選択された色変換プロファイルを用いて、ＣＭＹＫの表色値へ色変換する第２色変換を行う（ステップＳ１２２）。
【００９８】
そして、出力部２０が、第２色変換部１８で色変換された画像データを、画像形成装置２へ出力し（ステップＳ１２４）、本ルーチンを終了する。
【００９９】
以上説明したように、本実施の形態の画像処理装置６では、予め、分光特性の異なる複数種類の第１記録媒体毎に、第１記録媒体の分光特性（第１分光特性）、及び色変換プロファイルを対応づけて記憶部２８に記憶する。また、記憶部２８には、ユーザが高い色再現性を要求する色である特定色の色画像データ、及び特定色の色値を予め記憶する。
【０１００】
そして、画像処理装置６では、画像データを画像形成対象の第２記録媒体４０に、特定色の色画像データを、記憶部２８に格納されている各色変換プロファイルで色変換した複数種類の色画像を含むパッチ画像データの各色画像を形成する。そして、測定部５が、第２記録媒体４０に形成された各色画像の色値、及び第２記録媒体４０の分光特性を測定する。第１選択部３６は、記憶部２８に格納されている複数種類の色変換プロファイルの内、測定された分光特性に最も近い分光特性に対応する色変換プロファイルを、第１色変換プロファイルとして選択する。また、第２選択部３８は、測定された各色画像の色値である第２色値の内、記憶部２８に格納されている特定色の色値である第１色値に最も近い第２色値の色画像に対応する色変換プロファイルを、第２色変換プロファイルとして選択する。そして、画像形成対象の画像データに、特定色の領域が含まれている場合には、選択部２４は、第２色変換プロファイルを、第２色変換部１８で適用する色変換プロファイルとして選択する。また、画像形成対象の画像データに、特定色の領域が含まれていない場合には、選択部２４は、第１色変換プロファイルを、第２色変換部１８で適用する色変換プロファイルとして選択する。
【０１０１】
従って、本実施の形態の画像処理装置６では、特定色を含まない画像データについては、画像形成対象の第２記録媒体４０の分光特性に応じて選択した第１色変換プロファイルを適用し、特定色を含む画像データについては、第２記録媒体４０上に形成した色画像の色値に応じて選択した第２色変換プロファイルを適用する。このため、画像処理装置６では、高い色再現性を要求する特定色を含む画像の、記録媒体間の色差を抑制することができる。
【０１０２】
なお、上述した本実施の形態にかかる画像処理装置６による画像処理プロセスは、例えば、上述したＰＣ（パーソナル・コンピュータ）に拡張ソフトウエアとして実装された画像処理プログラムが該ＰＣのＣＰＵにより実行されることによって実現される。ＰＣのＣＰＵにより実行される画像処理プログラムは、例えば、ＰＣのＲＯＭ等に予め組み込まれて提供される。また、ＰＣのＣＰＵにより実行される画像処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。さらに、ＰＣのＣＰＵにより実行される画像処理プログラムを、インターネット等のネットワークに接続されたコンピュータ上に格納し、ネットワーク経由でダウンロードさせることにより提供するように構成してもよい。また、ＰＣのＣＰＵにより実行される画像処理プログラムを、インターネット等のネットワーク経由で提供または配布するように構成してもよい。
【０１０３】
ＰＣのＣＰＵにより実行される画像処理プログラムは、図１に機能ブロック図で示した各処理機能を含むモジュール構成となっており、実際のハードウエアとしてはＣＰＵ（プロセッサ）が例えばＲＯＭから画像処理プログラムを読み出して実行することにより各処理機能が主記憶装置（ＲＡＭ）上にロードされ、各処理機能が主記憶装置上に生成されるようになっている。
【０１０４】
以上、一の実施の形態を具体的に説明したが、本発明は、上記の実施の形態そのままに限定されるものではなく、実施段階ではその要旨を逸脱しない範囲で様々な変形や変更を加えて具体化することができる。例えば、上記の実施の形態では、画像処理装置６を画像形成装置２や測定部５とは別の装置として実現する構成を説明したが、画像処理装置６の一部または全部の機能を、画像形成装置２に内蔵させた構成を採用するようにしてもよい。また、さらに、測定部５の機能を、画像形成装置２または画像処理装置６に内蔵させた構成を採用してもよい。
【符号の説明】
【０１０５】
１  画像処理部
２  画像形成装置
５  測定部
６  画像処理装置
１０  主制御部
１４  取得部
１６  第１色変換部
１８  第２色変換部
２０  出力部
２２  判定部
２４  選択部
２６  読取部
２８  記憶部
３０  設定部
３２  選択部
３４  取得部
３６  第１選択部
３８  第２選択部
【先行技術文献】
【特許文献】
【０１０６】
【特許文献１】特開２００８−２７８１５２号公報
【図１】
2013065956.tif 000006
【図２】
2013065956.tif 000007
【図３】
2013065956.tif 000008
【図４】
2013065956.tif 000009
【図５】
2013065956.tif 000010
【図６】
2013065956.tif 000011